(57)【要約】【課題】カバー部材から芳香成分又は消臭成分を性能よく発生させることにある。【解決手段】カバー部材２０が、摩擦にて芳香成分又は消臭成分を発生する嗅覚調節部材３０を有し、ベルト部材１０に対してカバー部材２０を相対移動させて、嗅覚調節部材３０とベルト部材１０を擦り合わせることにより、芳香成分又は消臭成分を発生させる構成とした。【選択図】図９
2014201152.tif 000002
【特許請求の範囲】
【請求項１】
人体を拘束可能なベルト部材と、前記ベルト部材に取付け可能なカバー部材を備えたシートにおいて、
前記カバー部材が、摩擦にて芳香成分又は消臭成分を発生する嗅覚調節部材を有し、前記ベルト部材に対して前記カバー部材を相対移動させて、前記嗅覚調節部材と前記ベルト部材を擦り合わせることにより、前記芳香成分又は前記消臭成分を発生させる構成としたシート。
【請求項２】
前記カバー部材が、前記ベルト部材に対して着脱可能に取付けられるとともに、前記嗅覚調節部材が、前記カバー部材に対して着脱可能に取付けられる請求項１に記載のシート。
【請求項３】
前記ベルト部材が、人体上半身を拘束する第一部位と、人体下半身を拘束する第二部位とを有し、前記第一部位の前記嗅覚調節部材を臨む面が、前記第二部位よりも大きな凹凸形状を有する請求項１又は２に記載のシート。
【発明の詳細な説明】
【技術分野】
【０００１】
本発明は、人体を拘束可能なベルト部材と、カバー部材（ベルト部材に取付けられる部材）を備えたシートに関する。
【背景技術】
【０００２】
この種のシートでは、シートの快適性等を考慮して、人体に近接する部位から芳香成分や消臭成分を発生させることが望ましい。
例えば特許文献１に開示の乗物用シートでは、乗員（人体）を拘束可能なシートベルトと、カバー部材の開示がある。カバー部材は、シートベルトに巻き回し状に取付けられる面材であり、芳香性を有する素材又は消臭性を有する素材にて形成される。
公知技術では、シートベルトを、シートバック肩口から引出しつつシート上の乗員に巻付ける。そしてカバー部材を、シートベルトに巻き回し状に取付けて、乗員に近接する部位（例えば乗員の肩部等）に配置する。こうしてカバー部材から、常時、芳香成分又は消臭成分を発生させることでシートの快適性を向上させることができる。
【先行技術文献】
【特許文献】
【０００３】
【特許文献１】登録実用新案第３０９１８８６号公報
【発明の概要】
【発明が解決しようとする課題】
【０００４】
ところで公知技術では、常時、芳香成分等をカバー部材から発生させる。このため公知技術の構成は、芳香成分等の消費スピードが速く（交換頻度が多く）、ランニングコスト低減の観点などから、すんなり採用できる構成ではなかった。
また強すぎる芳香が逆に不快感を与えることもあるため、芳香成分を常時発生させる構成は、シートの快適性に必ずしも資する構成ではなかった。
本発明は上述の点に鑑みて創案されたものであり、本発明が解決しようとする課題は、カバー部材から芳香成分又は消臭成分を性能よく発生させることにある。
【課題を解決するための手段】
【０００５】
上記課題を解決するための手段として、第１発明のシートは、人体を拘束可能なベルト部材と、ベルト部材に取付け可能なカバー部材を備える。この種の構成では、カバー部材から芳香成分又は消臭成分を性能よく（例えば必要な時にのみ）発生できることが望ましい。
そこで本発明では、上述のカバー部材が、摩擦にて芳香成分又は消臭成分を発生する嗅覚調節部材を有する。そしてベルト部材に対してカバー部材を相対移動させて、嗅覚調節部材とベルト部材を擦り合わせることにより、芳香成分又は消臭成分を発生させる構成とした。
本発明では、必要に応じて、ベルト部材に対してカバー部材を相対移動させることにより、芳香成分又は消臭成分を発生させることができる。
【０００６】
第２発明のシートは、第１発明のシートであって、上述のカバー部材が、ベルト部材に対して着脱可能に取付けられるとともに、嗅覚調節部材が、カバー部材に対して着脱可能に取付けられる（取替可能な構成である）。
本発明では、カバー部材と嗅覚調節部材を取替可能とすることで、使い勝手の良い構成となる。
【０００７】
第３発明のシートは、第１発明又は第２発明のシートにおいて、ベルト部材が、人体上半身を拘束する第一部位と、人体下半身を拘束する第二部位とを有し、第一部位の嗅覚調節部材を臨む面が、第二部位よりも大きな凹凸形状を有する。
本発明では、ベルト部材の人体上半身に近い部分が大きな凹凸形状を有することで、芳香成分又は消臭成分を効率よく発生させることができる。
【発明の効果】
【０００８】
本発明に係る第１発明によれば、カバー部材から芳香成分又は消臭成分を性能よく発生させることができる。また第２発明によれば、カバー部材から芳香成分又は消臭成分を、より性能よく発生させることができる。そして第３発明によれば、カバー部材から芳香成分又は消臭成分を、さらに性能よく発生させることができる。
【図面の簡単な説明】
【０００９】
【図１】乗物室内に配置する乗物用シートの正面図である。
【図２】シートベルト一部とカバー部材の斜視図である。
【図３】（ａ）は、シートベルトの組織図であり、（ｂ）は、別例にかかるシートベルトの組織図である。
【図４】変形例１にかかるシートベルトの断面図である。
【図５】（ａ）は、変形例１にかかるシートベルトの正面図であり、（ｂ）は、シートベルトの側面図である。
【図６】（ａ）は、変形例２にかかるシートベルトの正面図であり、（ｂ）は、シートベルトの側面図である。
【図７】（ａ）は、変形例３にかかるシートベルト及びその関連構成の斜視図であり、（ｂ）は、シートベルトの断面図である。
【図８】カバー部材を分解して示す斜視図である。
【図９】シートベルトとカバー部材の概略断面図である。
【発明を実施するための形態】
【００１０】
以下、本発明を実施するための形態を、図１〜図９を参照して説明する。なお図１には、便宜上、乗物用シート上方に符号ＵＰ、乗物用シート下方に符号ＤＷを付す。
図１の乗物用シート２は、シートクッション４と、シートバック６と、ヘッドレスト８と、シートベルト１０を有する。また他の乗物用シート２Ａは、乗物用シート２と同一構成（シートクッション４Ａ，シートバック６Ａ，ヘッドレスト８Ａ，シートベルト１０Ａ）を有して、乗物用シート２に隣接配置する。
【００１１】
本実施例では、シートベルト１０，１０Ａ（詳細後述）を乗物室内の壁体から引出しつつ、シート上の乗員（図１の二点破線を参照）に巻付ける。
そしてシートベルト１０（１０Ａ）に、それぞれカバー部材２０（詳細後述）を取付けて、乗員に近接する位置（例えば乗員肩部など）に配置する。このときシートの快適性等を考慮して、カバー部材２０から芳香成分又は消臭成分を発生させるのであるが、この種の構成では、各成分を性能よく（例えば必要な時にのみ）発生できることが望ましい。
そこで本実施例では、後述の構成にて、芳香成分又は消臭成分を性能よく発生させることとした。以下、各構成について詳述する。なお本実施例では、乗物用シート２と他の乗物用シート２Ａが同一構成を有することから、専ら乗物用シート２を一例に説明する。
【００１２】
［シートベルト］
シートベルト１０は、乗員を拘束可能な帯状部材であり、引出し状態において乗員上半身と脚部を網羅する長さ寸法（長手方向の寸法）を有する（図１及び図２を参照）。
ここで本実施例のシートベルト１０は、三点固定式の構造を有し、シートベルト１０の一端側が、シートクッション４一側（壁体側）に固定される。またシートベルト１０の他端側が、乗物室内の壁体内（図示しないリトラクタ）に巻装される。そしてシートベルト１０を、壁体上部の取出部材ＥＭ（シートベルトの外形に倣った開口を有する部材）を通じて、シートバック６側に引出すことができる。
そしてシートベルト１０を、シート上の乗員に巻付けつつ、シートベルト１０途中のタング部材ＴＭを、シートクッション４他側のバックル部材ＢＭに係止する。こうすることでシートベルト１０上部が乗員上半身に巻付け状に配置する（拘束する）とともに、シートベルト１０下部が乗員脚部を跨いで配置する（拘束する）こととなる。
【００１３】
（シートベルトの凹凸形成）
そして本実施例のシートベルト１０は、タテ糸及びヨコ糸を構成糸とする織物（平織、綾織または朱子織）にて形成されており、嗅覚調節部材３０（後述）を臨む表面が凹凸状である（図２を参照）。
ここでシートベルト１０を凹凸状とする手法として、タテ糸又はヨコ糸（一部又は全部）を太くする手法、タテ糸又はヨコ糸の本数を部分的に多くする手法を例示できる。
例えば図３（ａ）を参照して、平織のシートベルト１０を作成する場合、太いタテ糸と、細いヨコ糸を用いることで、シートベルト１０の長手方向に複数の凸部をドット状に形成できる（同図中、ハッチを付けたマスはタテ糸が浮いている部分を示す）。また同様に平織のシートベルト１０を作成する場合、複数本のタテ糸（引き揃え状態または撚り合せ状態）と、単数本のヨコ糸を用いることで、シートベルト１０の長手方向に複数の凸部をドット状に形成できる。
また各種の変化平織（ウネ織やナナコ織など）のシートベルト１０を作成することもできる。例えば図３（ｂ）を参照して、ヨコ糸を１／１の飛び、タテ糸を２／２の飛びとする（タテウネ織を形成する）ことで、比較的大きな凸部を形成できる。
そして上記構成の場合、ヨコ糸よりもタテ糸が大きくなるほど凸部の大きさが大きくなる。例えばヨコ糸が１０００ｄｔｅｘの場合、タテ糸を、１５００〜３０００ｄｔｅｘの範囲に設定することで、シートベルト１０表面を性能よく凹凸状とすることができる。
【００１４】
［変形例］
ここでシートベルトの凹凸形成方法は、上述のほか、各種の手法を取り得る。
例えば変形例１のシートベルト１０ａでは、一対の細いタテ糸Ｙ１と、一対の太いタテ糸Ｙ２を、それぞれ引き揃えて使用する（図４及び図５を参照）。そしてこれらタテ糸Ｙ１，Ｙ２を交互に整経したのち、細いヨコ糸Ｙ３を打ち込むことでシートベルト１０ａを作成する（図５では、便宜上、一部のタテ糸にのみ符号を付す）。
本変形例では、一対の太いタテ糸Ｙ２が、シートベルト１０ａ表面から突出することにより、シートベルト１０ａの幅方向（短手方向）に延びる線状の凸部を形成できる。このとき細いタテ糸Ｙ１と太いタテ糸Ｙ２を交互に用いたことで、複数の凸部（Ｙ２）が、適宜の間隔で並列配置することとなり、嗅覚調節部材３０（後述）を効率よく擦り合わせることができる。
【００１５】
また変形例２では、平坦なシートベルト１０ｂ（織物，編物，不織布）を作成したのち、シートベルト１０ｂ一面を部分的に押圧する（例えばエンボス加工を施す）ことで凹部１１を形成する（図６では、便宜上、一部の凹部にのみ符号を付す）。
本変形例では、シートベルト１０ｂの長手方向に、複数の凹部１１と、平坦部分（凸部）を交互に（マス目状に）配置する。こうすることで上述の織物と同様に、シートベルト１０ｂを凹凸状とすることができる。そして本変形例（凹部を形成する構成）では、シートベルト１０ｂの厚みが大きくならない（取出部材ＥＭへの出し入れが阻害されない）。このため比較的大きな凹部１１を形成するなどして、シートベルト１０ｂをメリハリのよい凹凸状とすることができる。
なお本変形例では、複数の凹部１１を規則的に形成したが、不規則（ランダム）に形成することもできる。また本変形例では、略矩形の凹部１１（ドット状）を形成したが、各種の凹部形状（円形，楕円形，正方形，星型など）を採用でき、また線状の凹部１１を形成することもできる。
【００１６】
また変形例３では、シートベルト１０ｃ（可撓性を有する部材）を中空状とするとともに、その内部に、複数のチューブＴ１〜Ｔ７を、一定間隔をあけて並列状に挿設する（図７を参照）。
そしてエア供給装置ＡＭから各チューブＴ１〜Ｔ７にエアを供給して膨張させる。こうすることで各チューブＴ１〜Ｔ７の配置位置だけを凸状とするとともに、各チューブの非配置位置を凹状とすることができる。このとき本変形例のように、太いチューブＴ１の周りに複数の細いチューブＴ２〜Ｔ７を配置することができ、また同一径寸法のチューブを配置することもできる。
【００１７】
（第一部位・第二部位）
そしてシートベルト１０は、長手方向の略全面に同程度の凹凸が形成されていてもよく、また長手方向の一部分に比較的大きい凹凸が形成されていてもよい（図１を参照）。
例えば本実施例では、タング部材ＴＭを境として、シートベルト１０上部（第一部位１０Ｘ）が乗員上半身に巻付け状に配置する（人体上半身を拘束する）。またシートベルト１０下部（第二部位１０Ｙ）が乗員脚部を跨いで配置する（人体下半身を拘束する）。
そこで上述の凹凸形成方法にて、第一部位１０Ｘ（一部または全部）に、第二部位１０Ｙよりも大きな凹凸形状を形成する。こうすることで第一部位１０Ｘ（乗員頭部に近い位置）に、芳香成分等（詳細後述）を好適に発生させる領域ＡＲが形成される。
そして第二部位１０Ｙ（シートベルト下部）では、例えば同一寸法のヨコ糸とタテ糸を用いるなどして、シートベルト１０表面を比較的平坦な形状とすることができる。こうすることでカバー部材２０と第二部位１０Ｙの相対移動時の摩擦を比較的抑えることができる。こうして第二部位１０Ｙ（乗員頭部から遠い位置）において、芳香成分等の発生を極力抑制することにより、芳香成分等の消費スピードを好適に抑えることができる。
なお変形例２では、凹部１１の形成位置又は深さ寸法を調節することで、第一部位１０Ｘの凹凸形状を比較的大きくできる。また変形例３では、各チューブの径寸法を途中で変えることにより、第一部位１０Ｘの凹凸形状を比較的大きくできる。
【００１８】
［カバー部材］
カバー部材２０は、シートベルト１０に巻き回し可能な面状部材であり、パッド部位２２と、複数の係止部位２４ａ〜２４ｃと、嗅覚調節部材３０（後述）を有する（図１、図２、図８及び図９を参照）。
ここでカバー部材２０の材質として、布帛（織物、編物、不織布）や皮革（天然皮革，合成皮革）を例示できる。
本実施例のカバー部材２０は、略矩形の面材（展開形状）であり、シートベルト１０にその幅方向から一回り半巻き回し可能な寸法（幅寸法）を有する。なおカバー部材２０の長さ寸法（幅寸法と直交する向きの寸法）は、シートベルト１０を部分的に被覆可能な寸法であればよく、シートベルト１０上部で相対移動可能な寸法であることが望ましい。
そしてパッド部位２２は、カバー部材２０一部の袋状部位（略矩形）であり、内部に、柔軟な発泡樹脂（含気率の高いウレタンパッド、軟質のスラブウレタンフォーム等）が配置する。本実施例のパッド部位２２は、シートベルト１０の一面と他面を被覆可能な寸法を有して、カバー部材２０の（幅方向で見た）一側寄りに配置する。
【００１９】
また複数の係止部位（第一係止部位２４ａ〜第三係止部位２４ｃ）は、各々、カバー部材２０の長さ方向に延びる帯状部位である（図８を参照）。
各係止部位２４ａ〜２４ｃは、着脱可能な係止構造（面ファスナ構造，ボタン構造，線ファスナ構造）を有し、本実施例では、これらが面ファスナ構造を有する。
例えば第一係止部位２４ａと第二係止部位２４ｂのいずれか一方が微細なフックを備える雄型であり、他方が、微細なループを備える雌型である。また第三係止部位２４ｃは、微細なフックを備える雄型であり、後述の嗅覚調節部材３０（布帛製）表面に係止可能である。
そして本実施例では、シートベルト１０にカバー部材２０を巻き回し状態とした場合に、第一係止部位２４ａと、第二係止部位２４ｂが対面可能な位置に配置する。例えば第一係止部位２４ａを、カバー部材２０一面の（幅方向で見た）他端側に取付けるとともに、第二係止部位２４ｂを、カバー部材２０他面の中央よりも一端側寄りに取付ける。そして第三係止部位２４ｃを、カバー部材２０一面の一端側に取付けて、嗅覚調節部材３０（後述）を係止可能に配置する。
【００２０】
（嗅覚調節部材）
嗅覚調節部材３０は、摩擦にて芳香成分又は消臭成分を発生する部材であり、閉合せ部３２を有する（図２、図８及び図９を参照）。
本実施例の嗅覚調節部材３０は、略矩形の面材（展開形状）であり、二つ折状態とすることでシートベルト１０の一面と他面を被覆可能な寸法（幅寸法）を有する。なお嗅覚調節部材３０の長さ寸法は、カバー部材２０の長さ寸法と同一又はそれよりも若干短く設定できる。
また嗅覚調節部材３０の材質は、芳香成分又は消臭成分（後述のマイクロカプセル）を保持可能な隙間を有することが望ましい。例えば本実施例の嗅覚調節部材３０の材質は、天然繊維又は合成繊維からなる布帛（織物，編物，不織布）であるが、このほかに多孔質性の樹脂シート（樹脂マット）、繊維積層体を使用できる。
そして閉合せ部３２は、二つ折状態とした嗅覚調節部材３０の開口側を閉じ状態とする部位である。本実施例の閉合せ部３２は、嗅覚調節部材３０の長さ方向に延びる帯状部位（面ファスナ構造を有する部位）であり、嗅覚調節部材３０一面（幅方向）の一端側に取付けられて、同部材の表面に係止可能である。
【００２１】
（芳香成分・消臭成分）
そして本実施例では、嗅覚調節部材３０に、芳香成分と消臭成分の少なくとも一つを封入（または付着）するマイクロカプセルＭＣを保持させる（図９では、便宜上、一部のマイクロカプセルにのみ符号ＭＣを付す）。そして摩擦にてマイクロカプセルＭＣが破損することで芳香成分又は消臭成分が外部に開放される構成とする。
ここでマイクロカプセルＭＣ（φ１〜１００μｍ）の構成として、摩擦にて破損する外殻（硬化ゼラチンやメラミン樹脂等の外殻）を有する中空構造を例示できる。またマイクロカプセルＭＣとして、摩擦にて破損する多孔質構造を例示できる。
そして芳香成分と消臭成分は揮発性を有することが好ましい。この種の芳香成分として、天然香料（ジャスミン油やラベンダー油などの精油等）や合成香料（ヒノキチオールやリモネン等）を例示できる。また消臭成分として、天然消臭成分（緑茶抽出成分、桧木抽出成分等）や合成消臭成分（アミン系有機物等）を例示できる。
そしてマイクロカプセルＭＣを含む液体を、各種付与手段（噴霧、塗布、含浸、ロールコート等の転写など）を介して嗅覚調節部材３０に付与する。こうすることで嗅覚調節部材３０（繊維の隙間など）に、マイクロカプセルＭＣを好適に保持させることができる。なおマイクロカプセルＭＣの付与量は特に限定しないが、例えば嗅覚調節部材３０に対して乾燥状態で２〜２０ｇ／ｍ2の範囲に設定できる。
【００２２】
［カバー部材の取付け作業］
図１及び図８を参照して、カバー部材２０（嗅覚調節部材３０）を、シートベルト１０に巻き回し状に取付ける。
このとき本実施例では、嗅覚調節部材３０を二つ折りしたのち、嗅覚調節部材３０の一側を、カバー部材２０一面の一端側に揃える。そして嗅覚調節部材３０（表面）に第三係止部位２４ｃを着脱可能に係止することで、カバー部材２０に対して嗅覚調節部材３０を取付けることができる。
つぎに嗅覚調節部材３０（二つ折り状態）の間にシートベルト１０を摺動可能に当接配置しつつ、閉合せ部３２にて、嗅覚調節部材３０の開口側を閉じ状態とする。そしてカバー部材２０を、嗅覚調節部材３０（シートベルト１０）周りに巻き回したのち、第一係止部位２４ａと第二係止部位２４ｂを着脱可能に係止する。こうすることでシートベルト１０に対してカバー部材２０を相対移動可能に取付けて、シートベルト１０と嗅覚調節部材３０を擦り合せ可能に配置することができる。
【００２３】
［カバー部材の使用］
図１及び図９を参照して、シートベルト１０を、カバー部材２０とともにシート上の乗員に巻付ける（乗員を拘束する）。
このとき本実施例では、カバー部材２０と嗅覚調節部材３０を、例えばシートベルト１０上部（乗員肩部から胸部にかけての部位）に配置させる。そこで必要に応じて、シートベルト１０（凹凸状）に対してカバー部材２０を相対移動させて、嗅覚調節部材３０とシートベルト１０を擦り合わせることにより、芳香成分又は消臭成分を発生させることができる（図１の領域ＡＲを参照）。このとき本実施例では、パッド部位２２の弾性力により、嗅覚調節部材３０をシートベルト１０側に押圧する（好適に擦り合わせる）ことができる。
またシートベルト１０に対するカバー部材２０の相対移動をやめることで、芳香成分又は消臭成分の発生を比較的速やかに停止することができる。このため本実施例では、芳香成分等の消費スピードが比較的遅く、嗅覚調節部材３０を長期間使用できる。
そして嗅覚調節部材３０の耐用期間が過ぎたのちは、各係止部位２４ａ〜２４ｃを係脱することで、シートベルト１０からカバー部材２０と嗅覚調節部材３０を取外す。そして別の嗅覚調節部材３０とともに、カバー部材２０を再度シートベルト１０に取付けることができる。
【００２４】
以上説明したとおり本実施例では、必要に応じて、シートベルト１０に対してカバー部材２０（嗅覚調節部材３０）を相対移動させることにより、芳香成分又は消臭成分を発生させることができる。
また本実施例では、カバー部材２０と嗅覚調節部材３０がともに取替可能な構成である（使い勝手の良い構成である）。さらに取替え可能な構成では、既存のシートベルト１０に、カバー部材２０と嗅覚調節部材３０を適宜取付けることができる。
そして本実施例では、シートベルト１０の第一部位１０Ｘ（人体上半身に近い部分）が大きな凹凸形状を有することで、芳香成分等を効率よく発生させることができる。
このため本実施例によれば、カバー部材２０から芳香成分又は消臭成分を性能よく発生させることができる。
【００２５】
本実施形態のシートは、上述した実施形態に限定されるものではなく、その他各種の実施形態を取り得る。
（１）本実施形態では、シートベルト１０をベルト部材として例示した。ベルト部材として、乗物用シートに配設される各種のベルト材や、チャイルドシートに配設される安全ベルトを例示できる。
（２）また本実施形態では、カバー部材２０と嗅覚調節部材３０の構成（形状，寸法，各部位の構成）を例示したが、これら部材の構成を限定する趣旨ではない。例えばベルト部材に対してカバー部材を一体化することもできる（着脱不能に取付けることもできる）。また同様にカバー部材と嗅覚調節部材を一体化することもできる。
（３）また本実施形態では、二つ折状の嗅覚調節部材３０（面状）を例示した。これとは異なり嗅覚調節部材は、ベルト部材の一面側のみに対面可能な寸法を有することができる。また嗅覚調節部材を、ベルト部材の長手方向に向けて線状に形成しつつ、カバー部材表面に突設することもできる。この場合には突出状の嗅覚調節部材を、ベルト部材の凹み部に嵌装するとともに、凹み部内の凹凸にて摩擦する構成とすることもできる。
【００２６】
（４）また本実施形態では、第一部位１０Ｘ（一部または全部）に、第二部位１０Ｙよりも大きな凹凸形状を形成する例を説明した。この構成では、例えば乗員肩部から胸部にかけて（乗員頭部に近接する位置）の第一部位部分のみに、大きな凹凸形状を形成することもできる。即ちシートバックを上下に分割したときに、シートバック上側部分のみの一部位部分のみに、大きな凹凸形状を形成することができる。
（５）また本実施形態では、シートベルト１０の構成を例示したが、同部材の構成を限定する趣旨ではない。例えばシートベルトの一面側のみを凹凸状とすることもできる。またシートベルトは、シートバックから引出し可能とすることもできる。またシートベルトは二点固定式とすることもできる。
（６）本実施例の構成は、車両や航空機や電車などの乗物用シートやチャイルドシートに適用できる。
【符号の説明】
【００２７】
２，２Ａ  乗物用シート
４，４Ａ  シートクッション
６，６Ａ  シートバック
８，８Ａ  ヘッドレスト
１０，１０Ａ  シートベルト
１０Ｘ 第一部位
１０Ｙ 第二部位
２０   カバー部材
２２   パッド部位
２４ａ 第一係止部位
２４ｂ 第二係止部位
２４ｃ 第三係止部位
３０   嗅覚調節部材
３２   閉合せ部
【図１】
2014201152.tif 000003
【図２】
2014201152.tif 000004
【図３】
2014201152.tif 000005
【図４】
2014201152.tif 000006
【図５】
2014201152.tif 000007
【図６】
2014201152.tif 000008
【図７】
2014201152.tif 000009
【図８】
2014201152.tif 000010
【図９】
2014201152.tif 000011